(57)【要約】【課題】  自走車体の後部に施肥装置２０を設けるとともに作業装置を昇降操作自在に連結した乗用型作業機において、施肥装置２０を強固に支持できるようにし、かつ、作業装置の少数条作業クラッチを操作しやすいようにする。【解決手段】  施肥装置２０の肥料繰り出し機構２２が連結する施肥支持枠５６とは別枠に構成したタンク支持枠６３を車体に立設してある。タンク支持枠６３は、メイン支持フレーム６２を肥料タンク２１に対して車体前方側から当接させて肥料タンク２１を受け止め支持する。作業装置の少数条作業クラッチを切り換え操作するクラッチレバー８７をタンク支持枠６３の支柱６１に取り付けてある。【選択図】        図５
2005160405.tif 000002
【特許請求の範囲】
【請求項１】
自走車体の後部に作業装置を昇降操作自在に連結し、前記作業装置の機体横方向に並ぶ複数の作業機構による作業箇所の付近に肥料供給するように、肥料タンク、及び、この肥料タンクの下部に連結した肥料繰り出し機構を備えた施肥装置を、前記自走車体の後部に設けた施肥装置付き乗用型作業機であって、
前記肥料タンクに対して車体前方側から当接して受け止め作用するタンク支持枠を、前記繰り出し機構が連結する施肥支持枠とは別枠に構成した状態で前記自走車体に立設し、前記複数の作業機構の一部の作業を停止させる少数条作業クラッチを切り換え操作するクラッチレバーを、前記タンク支持枠に取り付けてある施肥装置付き乗用型作業機。
【請求項２】
前記少数条作業クラッチが切り状態にあることを検出するクラッチセンサを設けてある請求項１記載の施肥装置付き乗用型作業機。
【請求項３】
前記複数の作業機構が播種機構である請求項1又は２記載の施肥装置付き乗用型作業機。
【発明の詳細な説明】
【技術分野】
【０００１】
本発明は、自走車体の後部に作業装置を昇降操作自在に連結し、前記作業装置の機体横方向に並ぶ複数の作業機構による作業箇所の付近に肥料供給するように、肥料タンク、及び、この肥料タンクの下部に連結した肥料繰り出し機構を備えた施肥装置を、前記自走車体の後部に設けた施肥装置付き乗用型作業機に関する。
【背景技術】
【０００２】
上記作業機として、従来、たとえば特許文献１に示されるように、走行機体３（自走車体に相当）の後部に苗植付け装置４（作業装置に相当）を昇降可能に連結し、肥料ホッパー４１（肥料タンクに相当）、繰り出し機構４２を備えた施肥装置７を走行機体上に搭載したものがあった。
【０００３】
この種の作業機にあっては、従来、自走車体に立設されるとともに繰り出し機構が連結するように構成した施肥支持枠のみを採用することによって施肥装置を自走車体に固定されていた。
【０００４】
【特許文献１】特開２００１−９５３２２号公報  （〔００２４〕，〔００３８〕欄、図１，４，７  ）
【発明の開示】
【発明が解決しようとする課題】
【０００５】
この種作業機にあっては、肥料タンクが繰り出し機構より高レベルに位置するとともに繰り出し機構よりも大型になる。しかも、従来、肥料タンクが繰り出し機構のみで支持されることから、肥料タンクを繰り出し機構に対して強固に連結するように頑丈なタンクに構成して、肥料タンクが振動や肥料重量にかかわらず強固に支持されるようにする必要があった。
【０００６】
また、この種の作業機にあっては、複数の作業機構の一部の作業を停止させる少数条作業クラッチを作業装置に設けられるが、この少数条作業クラッチを切り換え操作するためのクラッチレバーを作業装置の方ではなくて自走車体の方に設けると、運転部から操作しやすくなるが、クラッチレバー専用の支持部材を装備して設けると、構造面などで不利になる。
【０００７】
本発明の目的は、肥料タンクを比較的軽小に構成しながら強固に支持させることができ、さらに、少数条作業クラッチの切り換え操作が運転部からより行いやすい状態に、しかも有利に得られる施肥装置付き乗用型作業機を提供することにある。
【課題を解決するための手段】
【０００８】
本第１発明にあっては、自走車体の後部に作業装置を昇降操作自在に連結し、前記作業装置の機体横方向に並ぶ複数の作業機構による作業箇所の付近に肥料供給するように、肥料タンク、及び、この肥料タンクの下部に連結した肥料繰り出し機構を備えた施肥装置を、前記自走車体の後部に設けた施肥装置付き乗用型作業機において、
前記肥料タンクに対して車体前方側から当接して受け止め作用するタンク支持枠を、前記繰り出し機構が連結する施肥支持枠とは別枠に構成した状態で前記自走車体に立設し、前記複数の作業機構の一部の作業を停止させる少数条作業クラッチを切り換え操作するクラッチレバーを、前記タンク支持枠に取り付けてある。
【０００９】
すなわち、肥料タンクに対して車体前方側から当接して受け止め作用するタンク支持枠を、繰り出し機構が連結する施肥支持枠とは別枠に構成した状態で前記自走車体に立設してあるものだから、肥料タンクは繰り出し機構に連結して支持される他に、タンク支持枠によって前方側からも支持される。これにより、肥料タンクを軽量など比較的軽小なタンクに構成しても、肥料タンクを振動や肥料重量にかかわらず大きく揺れ動かないなど強固に支持されることができる。
【００１０】
クラッチレバーを、前記タンク支持枠に取り付けたものだから、施肥支持枠に取り付けるに比してより運転部に近づくようにして、かつ、タンク支持枠をレバー支持手段に利用して自走機体に設けることができる。また、クラッチレバーを操作する際、クラッチレバーには作業装置の方から、すなわち車体後方側から操作反力が掛かるが、タンク支持枠が肥料タンクに対して車体前方側から当接してクラッチレバーを支持することから、クラッチレバーは操作反力に抗して強固に支持されて操作しやすくなる。
【００１１】
従って、本第１発明によれば、肥料タンクを比較的軽小なタンクに構成して重量面や経済面で有利に得られる。また、クラッチレバーが運転部により近づいて運転部から操作しやすいことにより、かつ、クラッチレバーが操作反力に抗して強固に支持されることにより、クラッチレバーを楽にスムーズに操作して少数条作業クラッチの切り換えを円滑に行なえる。しかも、タンク支持枠をレバー支持手段に利用して構造面や経済面でも有利に得られる。
【００１２】
本第２発明にあっては、本第１発明の構成において、前記少数条作業クラッチが切り状態にあることを検出するクラッチセンサを設けてある。
【００１３】
すなわち、少数条作業クラッチが切り状態にあるとクラッチセンサによって検出されるものだから、この検出結果を基に警報装置を作動させるなど、検出結果を容易に利用することができる。
【００１４】
従って、本第２発明によれば、少数条作業クラッチが切り状態にあることを警報してクラッチの入れ戻し忘れを防止するなどの対策を容易に行なうことができる。
【００１５】
本第３発明にあっては、本第１又は第２発明の構成において、前記複数の作業機構が播種機構である。
【００１６】
すなわち、作業機構が播種機構であって、作業装置が播種作業を行なうものである。
【００１７】
従って、本第３発明によれば、播種作業と施肥作業を並行して行なえるものを、肥料タンクの支持面や少数条作業クラッチの操作面で有利に得られる。
【発明を実施するための最良の形態】
【００１８】
〔第１実施形態〕
以下、本発明の実施例を図面に基づいて説明する。
図１に示すように、左右一対の操向操作自在な前車輪１、左右一対の後車輪２が原動部のエンジン３からの動力によって駆動されて自走するように構成し、かつ、原動部の後方に位置する運転座席４が装備された搭乗型運転部を備えた自走車体の車体フレーム５の後部に、リフトシリンダ６を備えたリンク機構７を介して水田直播装置１０を連結するとともに、前記エンジン３からの動力を回転伝動軸８によって水田直播装置１０に伝達するように構成し、自走車体の運転座席４の後側に、肥料タンク２１が付いた施肥装置２０を設けて、施肥装置付きの乗用型直播機を構成してある。
【００１９】
この直播機は、水田に稲の種籾を播種する作業と、肥料を供給する作業とを行なうものであり、リフトシリンダ６を駆動操作すると、このリフトシリンダ６がリンク機構７を自走車体に対して上下に揺動操作することによって、水田直播装置１０を整地フロート１１が田面に接地した下降作用状態と、整地フロート１１が田面から高く浮上した上昇非作業状態とに昇降操作する。水田直播装置１０を下降作業状態にして自走車体を走行させると、この水田直播機１０が圃場に複数条の種籾播種を行ない、施肥装置２０が圃場の複数条の播種箇所それぞれの横側付近に肥料供給していくのであり、詳しくは、次の如く構成してある。
【００２０】
図２に示すように、水田直播装置１０は、機体横方向に沿う角形鋼管で成るメインフレーム１２、このメインフレーム１２に中間部が連結している機体前後向きの支持フレーム１３、前記メインフレーム１２に下端側が連結している播種機構支柱１４などで成る機体フレーム、この機体フレームの上部に機体横方向に並べて取り付けた複数個の種子タンク１５、図３の如く１個の種子タンク１５の下部に２個ずつ連結して機体横方向に並んでいる複数個の播種機構１６、各播種機構１６の種子繰り出し部から機体下方向きに延出している播種ホース１７、各播種ホース１７の延出端部に接続している作溝播種器１８、前記機体フレームの下部に機体横方向に並べて取り付けた前記複数個の整地フロート１１、整地フロート１１の後部の底面側に取り付けた覆土具１９を備えて構成してある。
【００２１】
前記複数個の作溝播種器１８は、水田直播装置１０の機体横方向に一列に並ぶようにして、かつ、２個ずつが１個の整地フロート１１に連結するようにして整地フロート１１に取り付けてある。
【００２２】
図３に示すように、前記各播種機構１６は、種子タンク１５の下部のロート部に上端側が連結している繰り出しケース１６ａ、及び、この繰り出しケース１６ａの内部に回動自在に設けた繰り出しロール１６ｂを備えて構成してある。
【００２３】
図２，３に示すように、１個の種子タンク１５に連結している２個の播種機構１６，１６を一つの播種機構グループとして、各播種機構グループの２個の播種機構１６，１６の繰り出しロール１６ｂを両繰り出しロール１６ｂに兼用の一本の機体横向きの六角軸で成るロール駆動軸３０によって回動駆動するように構成し、各繰り出し機構グループの前記ロール駆動軸３０を、全てのロール駆動軸３０に対してクラッチギヤ３１を有するギヤ連動機構３２を介して連動している一本の機体横向きの六角軸で成る連動軸３３、この連動軸３３に連結している一方向回転クラッチ、この一方向回転クラッチの入力アーム３４に上端側が連結している連動ロッド３５、この連動ロッド３５の下端側に連結しているクランク機構などを備えた連動機構３６を介して前記回転伝動軸８に連動させてある。
【００２４】
つまり、水田直播装置１０は、次の如く播種作業していくようになっている。
すなわち、回転伝動軸８から前記連動機構３６を介して伝達される駆動力によって各播種機構グループのロール駆動軸３０を駆動し、各播種機構１６において、繰り出しロール１６ｂを前記ロール駆動軸３０によって回動駆動し、この繰り出しロール１６ｂによって種子タンク１５から種籾を繰り出しロール１６ｂの周面の繰り出し凹部の容積によって決まる設定量ずつ取り出して播種ホース１７に供給し、各作溝播種器１８によって整地フロート１１が整地した後の圃場泥土に播種溝を形成してこの播種溝に播種ホース１７からの種籾を供給し、種籾供給後の播種溝に覆土具１９によって泥土を掻き寄せて播種溝を埋め戻していく。
【００２５】
図１，５に示すように、施肥装置２０は、運転座席４の後方で自走車体横方向に長い前記１個の肥料タンク２１、この肥料タンク２１の下部に自走車体横方向に並んで連結している複数個の肥料繰り出し機構２２、前記各繰り出し機構２２の車体前方側に位置する車体横方向に沿う1本の送風パイプ２３、この送風パイプ２３の一端側に連結している電動ブロワ２４を備えて構成してある。
【００２６】
前記各肥料繰り出し機構２２は、１個の繰り出しケース２２ａ、及び、この繰り出しケース２２ａの内部に車体横方向に並んで回動自在に位置する一対の繰り出しロール２２ｂを備え、この一対の繰り出しロール２２ｂが回動駆動されることにより、各繰り出しロール２２ｂによって肥料タンク２１から肥料を繰り出しロール周面の繰り出し凹部の容積によって決まる設定量ずつで繰り出しケース２２ａの下部の車体後方側に位置する一対の肥料排出口のうちの対応する方に繰り出すように構成してある。
【００２７】
図５，６に示すように、前記各肥料繰り出し機構２２の前記一対の繰り出しロール２２ｂ，２２ｂを、両繰り出しロール２２ｂに共用の1本のロール駆動軸４０によって連動させて回動駆動するように構成し、各肥料繰り出し機構２２の前記ロール駆動軸４０を、全てのロール駆動軸４０に対してクラッチギヤ４１を有したギヤ連動機構４２を介して連動している車体横向きの六角軸で成る一本の伝動軸４３、この伝動軸４３に取り付けた一対の一方向回転クラッチ４４、一対の一方向回転クラッチ４４の入力回転体どうしを連動させているリンク機構、一方の一方向回転クラッチ４４の入力アーム４４ａに連結している連動ロッド４５、この連動ロッド４５が連結しているクランク機構を備えた連動機構４６を介して、図１に示す如く後輪伝動軸４７に付設の動力取り出し機構４８の出力部に連動させてある。
【００２８】
施肥装置２０の前記複数個の肥料繰り出し機構２２のうちの最も車体左横外側と車体右横外側に位置する肥料繰り出し機構２２の２個の肥料排出口と、前記一対の横外側の肥料繰り出し機構２２より車体内側に位置する肥料繰り出し機構２２の２個の肥料排出口のいずれか一方とに施肥ホース２５介して各別に接続した複数個の作溝施肥器２６を、水田播種装置１０の1個の作溝播種器１８の横側方近くに１個ずつ位置するよう配置して整地フロート１１に取り付けてある。
【００２９】
つまり、施肥装置２０は、次の如く施肥作業していくようになっている。
すなわち、後輪伝動軸４７から動力取り出し機構４８、連動機構４６を介して伝達される駆動力によって各ロール駆動軸４０を駆動し、各肥料繰り出し機構２２において、一対の繰り出しロール２２ｂをロール駆動軸４０によって回動駆動し、各繰り出しロール２２ｂによって肥料タンク２１から肥料を前記設定量ずつ肥料排出口に繰り出し、これと共に電動ブロワ２４によって発生させた肥料搬送風を送風パイプ２３によって各肥料繰り出し機構２２の肥料排出口に分配して供給し、肥料繰り出し機構２２からの肥料を電動ブロワ２４からの肥料搬送風によって施肥ホース２５に供給し、各作溝施肥器２６により、圃場泥土の作溝播種器１８による播種箇所の横側付近に施肥溝を形成し、この施肥溝に施肥ホース２５からの肥料を供給していく。
【００３０】
前記施肥装置２０は、図５，６に示す取り付け構造によって自走車体に取り付けてある。
すなわち、車体フレーム５の後部に後輪フェンダー兼用の作業ステップ５０を支持するように位置している左右一対の板金製のステップ支持フレーム５１に各別に立設した左右一対の支柱５２、この左右一対の支柱５２の上端部どうしにわたって連結した車体横向きの施肥メインフレーム５３、この施肥メインフレーム５３の車体横方向に並ぶ複数箇所に連結した屈曲帯板金で成る繰り出し機構連結枠５４などによって施肥支持枠５６を構成し、この施肥支持枠５６の車体横方向での複数箇所に繰り出し機構連結枠５４と施肥メインフレーム５３とによって形成された組み付け孔５５に肥料繰り出し機構２２を１個ずつ嵌め込み、肥料繰り出し機構２２の繰り出しケース２２ａを繰り出し機構連結枠５４にボルト連結してある。
【００３１】
さらに、図５，７に示すように、車体フレーム５の後部に前記作業ステップ５０を支持するように位置しているパイプ製のステップ支持フレーム６０に立設した左右一対の支柱６１、この左右一対の支柱６１の上端部どうしにわたって連結した車体横向きの丸パイプ材で成るメイン支持フレーム６２などにより、前記施肥支持枠５６とは別枠に構成して施肥支持枠５６より車体前方側で車体フレーム５に立設したタンク支持枠６３を構成し、このタンク支持枠６３の前記メイン支持フレーム６２の車体前後向きの両端部にゴム製クッション材を付設して設けたサイド支持部６２ａを肥料タンク２１の横壁に対して車体横外側方から当接させ、前記メイン支持フレーム６２の車体横向き部分で成るセンタ支持部６２ｂを肥料タンク２１の前壁に対して車体前方側から当接させて、肥料タンク２１をタンク支持枠６３のメイン支持フレーム６２によって受け止め支持させるようにしてある。
【００３２】
前記タンク支持枠６３の左右の支柱６１それぞれと、前記施肥支持枠５６の前記施肥メインフレーム５３とを車体前後向きの連結部材６４によって連結してある。
【００３３】
図３に示すように、前記水田直播装置１０の前記連動軸３３に、複数個の少数条播種クラッチ７０を設けてある。
図４に示すように、各少数条播種クラッチ７０は、連動軸３３にブシュ７１を介して相対回動自在に外嵌している前記ギヤ連動機構３２の連動軸ギヤ７２、連動軸３３の六角形状のために連動軸３３に対して一体回動及び摺動自在に係合した状態で連動軸３３に外嵌している前記クラッチギヤ３１、このクラッチギヤ３１を連動軸ギヤ７２の入力クラッチ突起７２ａに係合するように摺動付勢しているクラッチばね７３などを備えて構成してある。
【００３４】
すなわち、クラッチギヤ３１に対して一対の係止ピン７４ａで相対回転及び摺動操作自在に係合している操作アーム７４が支持ブラケット７５に対してこれのアーム支軸７６の軸芯まわりで揺動操作され、クラッチギヤ３１がクラッチばね７３による操作力のために連動軸ギヤ７２の方に摺動操作されてこの連動軸ギヤ７２の入力クラッチ突起７２ａに係合されると、少数条播種クラッチ７０は、連動軸３３の駆動力をクラッチギヤ３１を介して連動軸ギヤ７２に伝達することによって一つの播種機構グループのロール駆動軸３０に対して駆動力を伝達するようにクラッチ入り状態になり、その播種機構グループの２個の播種機構１６による播種作業を行なわせる。クラッチギヤ３１が操作アーム７４による操作力のために連動軸ギヤ７２から離れる方向に摺動操作されて連動軸ギヤ７２の入力クラッチ突起７２ａから離脱されると、少数条播種クラッチ７０は、連動軸３３から連動軸ギヤ７２に対する伝動を切ることによって前記ロール駆動軸３０に対する伝動を断つようにクラッチ切り状態になり、播種機構グループの２個の播種機構１６による播種作業を停止させるようになっている。
【００３５】
図６に示すように、前記施肥装置２０の前記伝動軸４３に、複数個の少数条施肥クラッチ８０を設けてある。
各少数条施肥クラッチ８０は、ロール駆動軸４０に一体回動自在に設けた前記ギヤ連動機構４２のロール軸ギヤ８１、伝動軸４３の六角形状のためにこの伝動軸４３に対して一体回動及び摺動自在に係合した状態で伝動軸４３に外嵌している前記クラッチギヤ４１、このクラッチギヤ４１をロール軸ギヤ８１に係合するように摺動付勢しているクラッチばね８２などを備えて構成してある。
【００３６】
すなわち、クラッチギヤ４１に対してフォーク部で相対回転及び摺動操作自在に係合している操作アーム８３が揺動操作され、クラッチギヤ４１がクラッチばね８２による操作力のためにロール軸ギヤ８１の方に摺動操作されてこのロール軸ギヤ８１に噛合わせられると、少数条施肥クラッチ８０は、伝動軸４３の駆動力をクラッチギヤ４１によってロール軸ギヤ８１に伝達することによって１本のロール駆動軸４０に対して駆動力を伝達するようにクラッチ入り状態になり、その１本のロール駆動軸４０を共有している２個の肥料繰り出し機構２２による肥料供給を行なわせる。クラッチギヤ４１が操作アーム８３による操作力のためにロール軸ギヤ８１から離脱されると、少数条施肥クラッチ８０は、伝動軸４３からロール軸ギヤ８１に対する伝動を切ることによって前記ロール駆動軸４０に対する伝動を断つようにクラッチ切り状態になり、２個の肥料繰り出し機構２２による肥料供給を停止させるようになっている。
【００３７】
図５，６に示すように、水田播種装置１０の前記複数個の少数条播種クラッチ７０の前記操作アーム７４に対し、操作アーム７４に一端側が連結しているインナーケーブル８６ａと、このインナーケーブル８６ａが内部を摺動自在に挿通しているアウターケーブル８６ｂとで成る操作ケーブル８６によって各別に連動させた複数本のクラッチレバー８７を、前記タンク支持枠６３の前記左側の支柱６１に支軸を固設して設けたレバー支軸部６１ａと、前記右側の支柱６１に支軸を固設して設けたレバー支軸部６１ａとに振り分けて、レバー支軸部６１ａの車体横向きの軸芯まわりで上下に揺動操作できるように支持させてある。
【００３８】
水田播種装置１０の前記複数の播種機構グループのうちの最も機体左横外側に位置するものと最も機体右横外側に位置するものの一方の少数条播種クラッチ７０のための前記操作ケーブル８６のアウターケーブル８６ｂの前記クラッチレバー側の端部が連結しているとともに前記施肥支持枠５６の前記施肥メインフレーム５３に揺動自在に支持された連動リンク８８を、施肥装置２０の複数個の肥料繰り出し機構２２のうちの最も車体左横外側に位置するものと最も車体右横外側に位置するものの一方の少数条施肥クラッチ８０の操作アーム８３に対して連動ロッド８９によって連動させてある。水田播種装置１０の前記複数の播種機構グループのうちの最も機体左横外側に位置するものと最も機体右横外側に位置するものの他方の少数条播種クラッチ７０のための前記操作ケーブル８６のアウターケーブル８６ｂの前記クラッチレバー側の端部を、施肥装置２０の複数個の肥料繰り出し機構２２のうちの最も車体左横外側に位置するものと最も車体右横外側に位置するものの他方の少数条施肥クラッチ８０の操作アーム８３に連結してある。水田播種装置１０の前記複数の播種機構グループのうちの最も機体左横外側に位置するものや、最も機体右横外側に位置するものよりも機体内側に位置するものの少数条播種クラッチ７０のための前記操作ケーブル８６のアウターケーブル８６ｂの前記クラッチレバー側の端部を、施肥装置２０の複数個の肥料繰り出し機構２２のうちの最も車体左横外側に位置するものや、最も車体右横外側に位置するものよりも車体内側に位置するものの少数条施肥クラッチ８０の操作アーム８３に連結するとともに、車体内側に位置する肥料繰り出し機構２２の少数条施肥クラッチ８０の操作アーム８３どうしを連動ロッド９０によって連動させてある。
【００３９】
つまり、水田播種装置１０による複数条の播種のうち、機体左横外側の２条の播種を停止させながら作業する場合には、車体横方向に並ぶ複数本のクラッチレバー８７のうち、最も車体左横外側に位置するクラッチレバー８７を、水田播種装置１０による複数条の播種のうち、機体右横外側の２条の播種を停止させながら作業する場合には、車体横方向に並ぶ複数本のクラッチレバー８７のうち、最も車体右横外側に位置するクラッチレバー８７を、機体内側の２条の播種を停止させながら作業する場合には、車体横方向に並ぶ複数本のクラッチレバー８７のうち、車体内側に位置するクラッチレバー８７をそれぞれレバー支軸部６１ａの軸芯まわりで上下に揺動操作して図５に示す切り位置ＯＦＦに操作し、いずれの場合も、その他のクラッチレバー８７を図５に示す入り位置ＯＮに操作しておく。
すると、複数の少数条播種クラッチ７０のうちの一つの少数条播種クラッチ７０が切り状態になって複数の播種機構１６のうちの播種停止を望む２条に対応する播種機構１６による播種作業を停止させ、複数の少数条播種クラッチ７０のうちのその他の少数条播種クラッチ７０が入り状態になって複数の播種機構１６のうちの播種停止を望む２条に対応するもの以外の播種機構１６による播種作業を実行させる。これとともに、複数の少数条施肥クラッチ８０のうちの一つの少数条施肥クラッチ８０が切り状態になって複数個の肥料繰り出し機構２２のうちの播種停止を望む２条に対応する２個の肥料繰り出し機構２２による施肥作業を停止させ、複数の少数条施肥クラッチ８０のうちのその他の少数条施肥クラッチ８０が入り状態になって複数の肥料繰り出し機構２２のうちの播種停止を望む２条に対応するもの以外の肥料繰り出し機構２２による施肥作業を実行させる。これにより、水田播種装置１０及び施肥装置２０による播種及び施肥可能な複数条のうちの希望する一部の２条や４条の播種及び施肥を停止させながら播種及び施肥する少数条の播種及び施肥作業を行なえる。
【００４０】
図４に示すように、水田播種装置１０の前記各少数条播種クラッチ７０の操作アーム７４を支持するブラケット７５にクラッチセンサ９５を設けてある。各クラッチセンサ９５は、検出スイッチで成り、少数条播種クラッチ７０を切り状態に切り換え操作した前記操作アーム７４のスイッチ操作部７４ｂによって押圧操作されてオフからオンに切り換わることにより、少数条播種クラッチ７０が切り状態にあることを検出し、この検出結果を制御手段９６に出力するように構成してある。制御手段９６は、複数個のクラッチセンサ９５の少なくとも１個のクラッチセンサ９５からクラッチ切りの検出結果を入力すると、この検出情報を基に、自走車体の前部に位置する警報装置としてのマーカランプ９７を点滅作動させるように構成してある。
すなわち、複数個の少数条播種クラッチ７０の少なくとも一つが切り状態に切り換え操作されると、マーカランプ９７が点滅して警報されるようになっている。
【００４１】
〔第２実施形態〕
図８は、第２実施形態を備えた施肥装置付き乗用型作業機を示し、この作業機にあっては、第１実施形態の自走車体と同様に左右一対の操向操作及び駆動自在な前車輪１、左右一対の駆動自在な後車輪２、エンジン３を有した原動部、運転座席４を有した搭乗型運転部、運転座席４の後方に位置する施肥装置２０を備えた自走車体の車体フレーム５の後部に、リフトシリンダ６を備えたリンク機構７を介して苗植付装置１００を連結するとともに、前記エンジン３からの動力を回転伝動軸８によって苗植付装置１００に伝達するように構成してある。
【００４２】
この作業機は、水田に稲苗を植え付ける作業と、肥料を供給する作業とを行なうものであり、リフトシリンダ６を操作すると、このリフトシリンダ６がリンク機構７を自走車体に対して上下に揺動操作することによって、苗植付装置１００を整地フロート１０１が田面に接地した下降作用状態と、整地フロート１０１が田面から高く浮上した上昇非作業状態とに昇降操作する。苗植付装置１００を下降作業状態にして自走車体を走行させると、この苗植付装置１００の機体横方向に並ぶ複数個の苗植付機構１０２が、この苗植付機構１０２の苗植え運動に連動して機体横方向に往復移送される苗載せ台１０３に載置されたマット状苗から一株分のブロック苗を切断して取り出し、整地フロート１０１によって整地された圃場泥土に植え付けていき、施肥装置２０が圃場の複数条の苗植付け箇所それぞれの横側付近に肥料供給していく。
【００４３】
この作業機の施肥装置２０は、第１実施形態の直播機の施肥装置２０と同様に構成してある。
【００４４】
苗植付装置１００に、植付け伝動ケース１０４の内部に配置した複数個の少数条植えクラッチ１０５を設けてある。各少数条植えクラッチ１０５は、複数個の苗植付機構１０２のうちの対応する２個の苗植付機構１０２に対する伝動を入り切りすることにより、その２個の苗植付機構１０２による苗植付け作業を停止させたり、実行させたりするようになっている。
各少数条植えクラッチ１０５は、第１実施形態の直播機のクラッチ操作装置と同様に、施肥装置２０のタンク支持枠６３に取り付けたクラッチレバー８７により、施肥装置２０の複数個の少数条施肥クラッチ８０のうちの対応する少数条施肥クラッチ８０と連動させて操作されるように構成してある。
【図面の簡単な説明】
【００４５】
【図１】施肥装置付き乗用型直播機の全体側面図
【図２】水田直播装置の側面図
【図３】播種機構の後面図
【図４】少数条播種クラッチの断面図
【図５】施肥装置の一部の側面図
【図６】少数条播種クラッチ及び少数条施肥クラッチの操作系の平面図
【図７】タンク支持枠の正面図
【図８】施肥装置付き乗用型田植機の全体側面図
【符号の説明】
【００４６】
１０，１００        作業装置
１６，１０２        作業機構
２０                施肥装置
２１                肥料タンク
２２                肥料繰り出し機構
５６                施肥支持枠
６３                タンク支持枠
８０，１０５        少数条作業クラッチ
８７                クラッチレバー
９５                クラッチセンサ
【図１】
2005160405.tif 000003
【図２】
2005160405.tif 000004
【図３】
2005160405.tif 000005
【図４】
2005160405.tif 000006
【図５】
2005160405.tif 000007
【図６】
2005160405.tif 000008
【図７】
2005160405.tif 000009
【図８】
2005160405.tif 000010